(57)【要約】【課題】スキンケア商品の使用効果を触感で感知可能なスキンケア効果モデルを提供する。【解決手段】スキンケア商品を使用する前の肌感触を模した感触を有する使用前人工肌模型２と、該スキンケア商品を使用した後の肌感触を模した感触を有する使用後人工肌模型３とを組み合わせて、スキンケア効果モデル１を構成する。【選択図】図１
2011053609.tif 000002
【特許請求の範囲】
【請求項１】
スキンケア商品を使用する前の肌感触を模した感触を有する使用前人工肌模型と、
該スキンケア商品を使用した後の肌感触を模した感触を有する使用後人工肌模型とを組み合せてなるスキンケア効果モデル。
【請求項２】
前記使用前人工肌模型の感触と前記使用後人工肌模型の感触は、なめらか感、しっとり感、はり感、ふっくら感、やわらか感、きしみ、ざらざら感、さっぱりさ、サラサラ感、べたつき、油っぽさ、みずみずしさ、温熱感、ぬめり、ねばり、からなる触感群のうち、少なくとも２つ以上の触感が互いに異なるものであることを特徴とする請求項１記載のスキンケア効果モデル。
【請求項３】
前記使用前人工肌模型の感触と前記使用後人工肌模型の感触は、なめらか感およびしっとり感の触感が互いに異なるものであることを特徴とする請求項１記載のスキンケア効果モデル。
【請求項４】
前記使用前人工肌模型が、前記触感群のうちのいずれか１つの触感が段階的に異なる複数の人工肌模型のサンプルから、官能テストの結果により、前記スキンケア商品の使用前の肌感触に最も近いと評価されたサンプルであり、前記使用後人工肌模型が、使用後の肌感触に最も近いと評価されたサンプルであることを特徴とする請求項１記載のスキンケア効果モデル。
【請求項５】
前記触感群のうちのいずれか１つの触感が段階的に異なる複数の人工肌模型のサンプルから、官能テストの結果により、前記スキンケア商品の使用前の肌感触に最も近いと評価されたサンプルを前記使用前人工肌模型の第１軸サンプルとし、使用後の肌感触に最も近いと評価されたサンプルを使用後人工肌模型の第１軸サンプルとし、
前記触感群のうちのいずれか他の１つの触感が段階的に異なる複数の人工肌模型のサンプルから、官能テストの結果により、前記スキンケア商品の使用前の肌感触に最も近いと評価されたサンプルを前記使用前人工肌模型の第２軸のサンプルとし、使用後の肌感触に最も近いと評価されたサンプルを使用後人工肌模型の第２軸のサンプルとしたとき、
前記使用前人工肌模型が、前記使用前人工肌模型の前記第１軸サンプルおよび第２軸サンプルの触感を兼ね備えたサンプルであり、
前記使用後人工肌模型が、前記使用後人工肌模型の前記第１軸のサンプルおよび第２軸のサンプルの触感を兼ね備えたサンプルであることを特徴とする請求項２記載のスキンケア効果モデル。
【発明の詳細な説明】
【技術分野】
【０００１】
本発明は、人工肌模型を利用した、化粧水、乳液、美容液などの化粧品およびコラーゲン入の飲料、サプリメントなどの美容食品などを含むスキンケア商品の効果を実感することが可能なスキンケア効果モデルに関するものである。
【背景技術】
【０００２】
従来、店頭でファンデーションや下地クリーム等の化粧品が販売されるときには、販売されている化粧品を使用した場合に、肌の状態が実際にどのように仕上がるか（メーキャップ効果）を示すために、人工肌模型が使用されている。
また、特許文献１においては、肌の弾性を模した、やわらかさと戻り力の異なる複数のブロックモデル（人工肌模型）を段階的に配列してなる肌の弾力性を判定するための機器が提案されている。
【０００３】
また、化粧料の特性評価を行うため、あるいは、化粧品を販売する美容部員やエステティシャンのメーキャップ、フェイシャル技術の習得のためなどの用途に様々な肌質の人工肌が提供されている（例えば、特許文献２、非特許文献１）。
【０００４】
ファンデーション、口紅等の化粧料であれば、店頭において、顧客あるいは人工肌に対してメーキャップを施すなどのデモンストレーションにより、その効果を顧客に体感してもらうことは比較的容易である。
【０００５】
一方、化粧水、乳液、美容液、保湿クリームなどのスキンケア化粧料については、その商品に、例えば、なめらか感、しっとり感、はり感、ふっくら感、やわらか感等の向上などの効果についての記載があったとしても、購入して実際に使用してみなければどのような肌感触になるかを知る方法がこれまでなかった。また、なめらか感、しっとり感、はり感等という表現は、各個人によってその認識が異なる場合があり、顧客に客観的に認識してもらうことが困難であった。
また同様に、コラーゲン入りの飲料、サプリメントなどのスキンケア美容食品についても、商品に効用、効能についての記載があっても、購入して、一定期間実際に摂取してみなければ、実際にどのような肌感触になるかを体感することはできなかった。
【０００６】
従って、スキンケア商品の場合には商品選択の際の判断材料が商品に記載されている効能や効果のみであり、商品の認知度や店頭で手の甲等へ塗布した際の感触等に依拠して商品を選択することが多かった。そのため、販売者、製造者等は商品認知率向上のために大量のマーケティングコストを強いられ、購入者のトライアルによるリピートに期待した売り上げに頼らざるを得ないという非効率的な販売戦略となっている。
【先行技術文献】
【特許文献】
【０００７】
【特許文献１】特許第３４７６２６９号公報
【特許文献２】特開平１１−１６９３９０号公報
【非特許文献】
【０００８】
【非特許文献１】株式会社ビューラックス、「バイオスキン」、FRAGRANCE JOURNAL 臨時増刊  No.21 (2009) 106頁−107頁
【発明の概要】
【発明が解決しようとする課題】
【０００９】
一般にスキンケア商品の効果を実感するには、数日から数週間以上を要するため、使用により得られる効果を顧客に提示して体感してもらうことは難しく、スキンケア商品について店頭で顧客に対してその効果説明を行う美容部員の負担は大きかった。
特許文献１に記載の肌の弾力性を判定するための機器を用いれば、現在の肌の状態を官能評価することは可能であるが、スキンケア商品を一定期間使用した結果どのようになるかについて提示することはできなかった。
【００１０】
本発明は上記事情に鑑みなされたものであり、スキンケア商品の使用効果を触感で感知可能なスキンケア効果モデルを提供することを目的とするものである。
【課題を解決するための手段】
【００１１】
本発明のスキンケア効果モデルは、スキンケア商品を使用する前の肌感触を模した感触を有する使用前人工肌模型と、
該スキンケア商品を使用した後の肌感触を模した感触を有する使用後人工肌模型とを組み合せてなるものである。
ここで、「スキンケア商品」とは、化粧水、乳液、美容液、保湿クリーム等のスキンケア用の化粧品および、サプリメント、飲料等の美容食品を含み、スキンケアのために開発あるいは販売されている商品全般の総称である。従って、「スキンケア商品を使用」とは、前記スキンケア商品が化粧品である場合には、化粧品の使用であり、前記スキンケア商品が美容食品である場合には、美容食品の服用あるいは摂取を意味する。
【００１２】
ここで、前記使用前人工肌模型の感触と前記使用後人工肌模型の感触は、なめらか感、しっとり感、はり感、ふっくら感、やわらか感、きしみ、ざらざら感、さっぱりさ、サラサラ感、べたつき、油っぽさ、みずみずしさ、温熱感、ぬめり、ねばり、からなる触感群のうち、いずれか１つの触感が異なるものであればよいが、少なくとも２つ以上の触感が互いに異なるものであることが望ましい。
【００１３】
特に、前記使用前人工肌模型の感触と前記使用後人工肌模型の感触は、なめらか感およびしっとり感の触感が互いに異なるものであることが望ましい。
【００１４】
本発明のスキンケア効果モデルは、前記触感群のうちのいずれか１つの触感が段階的に異なる複数のサンプルから、官能テストの結果により、前記スキンケア商品の使用前の肌感触に最も近いと評価されたサンプルを前記使用前人工肌模型とし、使用後の肌感触に最も近いと評価されたサンプルを使用後人工肌模型とすることが望ましい。
【００１５】
前記使用前人工肌模型の感触と前記使用後人工肌模型の感触が、少なくとも上述の２つの触感が互いに異なるものである場合には、前記触感群のうちのいずれか１つの触感が段階的に異なる複数のサンプルから、官能テストの結果により、前記スキンケア商品の使用前の肌感触に最も近いと評価されたサンプルを前記使用前人工肌模型の第１軸サンプルとし、使用後の肌感触に最も近いと評価されたサンプルを使用後人工肌模型の第１軸サンプルとし、前記触感群のうちのいずれか他の１つの触感が段階的に異なる複数のサンプルから、官能テストの結果により、前記スキンケア商品の使用前の肌感触に最も近いと評価されたサンプルを前記使用前人工肌模型の第２軸のサンプルとし、使用後の肌感触に最も近いと評価されたサンプルを使用後人工肌模型の第２軸のサンプルとし、前記使用前人工肌模型の前記第１軸サンプルおよび第２軸サンプルの触感を兼ね備えたサンプルを前記使用前人工肌模型とし、前記使用後人工肌模型の前記第１軸のサンプルおよび第２軸のサンプルの触感を兼ね備えたサンプルを前記使用後人工肌模型とすることが望ましい。
【発明の効果】
【００１６】
本発明のスキンケア効果モデルは、スキンケア商品を使用する前の肌感触を模した感触を有する使用前人工肌模型と、そのスキンケア商品を使用した後の肌感触を模した感触を有する使用後人工肌模型とを組合せてなるものであるため、スキンケア商品を数日から数週間使用してみないと体感することができない使用効果を、店頭等において客観的に提示することができる。従って、顧客等はスキンケア商品の使用効果を触感で感知することができ、購買の指標とすることができる。
【００１７】
特に、使用前人工肌模型の感触と、使用後人工肌模型の感触とが、２つ以上の触感が異なるものであれば、スキンケア商品による複数の効果を同時に示すことができる。
【００１８】
また、官能テストの結果により、前記スキンケア商品の使用前の肌感触に最も近いと評価されたサンプルを前記使用前人工肌模型とし、使用後の肌感触に最も近いと評価されたサンプルを使用後人工肌模型とすれば、顧客により現実的な効果を実感してもらうことができ、販売促進効果をより向上させることができる。
【図面の簡単な説明】
【００１９】
【図１】本発明のスキンケア効果モデルの一実施の態様を示す概略模式図である。
【図２】本発明のスキンケア効果モデルの組合せを選定する一方法を示す図である。
【図３】図２で示す方法により選定されたスキンケア効果モデルの組合せを示す図である。
【図４】本発明のスキンケア効果モデルの組合せを選定する他の方法を示す図である。
【図５】図４で示す方法により選定されたスキンケア効果モデルの組合せを示す図である。
【図６】本発明のスキンケア効果モデルの提示方法の一例を示す概略模式図である。
【図７】実施例におけるなめらか感の官能テスト結果を示すグラフである。
【図８】実施例におけるしっとり感の官能テスト結果を示すグラフである。
【発明を実施するための形態】
【００２０】
以下、本発明のスキンケア効果モデルを図面を用いて詳細に説明する。図１は本発明のスキンケア効果モデルの一実施の形態を示す概略模式図である。図１に示すスキンケア効果モデル１は、所定のスキンケア商品を使用する前の肌感触を模した感触を有する使用前人工肌模型２と、該スキンケア商品を使用した後の肌感触を模した感触を有する使用後人工肌模型３とを組合せてなるものである。図１においては、台紙４上にスキンケア効果モデル１がそれぞれ載置されている。台紙４には、それぞれの人工肌模型が認識できるように、それぞれの模型に対応させて「使用前」「使用後」と表示されている。
【００２１】
使用前人工肌模型２の感触と使用後人工肌模型３の感触は、なめらか感、しっとり感、はり感、ふっくら感、やわらか感、きしみ、ざらざら感、さっぱりさ、サラサラ感、べたつき、油っぽさ、みずみずしさ、温熱感、ぬめり、ねばり、からなる触感群のうちいずれか１つの触感、好ましくは２つ以上の触感が互いに異なるものである。
【００２２】
スキンケア効果モデル１を用いて、その効果を示すことが可能なスキンケア商品としては、例えば、化粧水、乳液、美容液、保湿クリーム、マスク、美容オイルなどのスキンケア化粧品、コラーゲンや美容に良い食物エキス入りの飲料、菓子、各種サプリメントなどの美容食品が挙げられる。すなわち、本発明のスキンケア効果モデル１は、これらのスキンケア商品を、１つもしくは２つ以上組合せて使用した場合の肌感触向上の効果を示すモデルとして、店頭において、顧客に提示すること等により利用され得る。
【００２３】
図１に示すように、本発明のスキンケア効果モデル１は、スキンケア商品を使用する前の素肌の状態を模した人工肌模型２と、所定期間（例えば、２週間、１ヶ月等の期間）使用した素肌の状態を模した人工肌模型３とをセットで提示することが可能であるため、店頭で試すことができない所定期間使用の前後の肌感触を顧客に客観的に体感してもらうことができる。従って、店頭で商品説明を行う販売員の負荷も低減することができ、プレゼンテーションツールとして非常に有用である。
【００２４】
本発明のスキンケア効果モデル１においては、なめらか感、しっとり感、はり感、ふっくら感、やわらか感、きしみ、ざらざら感、さっぱりさ、サラサラ感、べたつき、油っぽさ、みずみずしさ、温熱感、ぬめり、ねばりなどの触感群のうちのいずれか１つの触感が段階的に異なる複数のサンプルから、官能テストの結果により、スキンケア商品の使用前の肌感触に最も近いと評価されたサンプルを使用前人工肌模型２とし、使用後の肌感触に最も近いと評価されたサンプルを使用後人工肌模型３とすればよい。
【００２５】
使用前人工肌模型２と使用後人工肌模型３の組合せの具体的な選定方法の一例を説明する。
まず、対象とするスキンケア商品において、特に効果を示したい触感に着目し、その触感のみを段階的に変化させた複数の人工肌模型サンプルを用意する。例えば、なめらか感にのみ注目し、なめらか感の触感のみを段階的に変化させたなめらか感軸、しっとり感にのみ注目し、しっとり感の触感のみを段階的に変化させたしっとり感軸など、それぞれの軸毎に段階的に触感を変化させた複数の人工肌模型サンプルを用意する。
【００２６】
この複数の人工肌模型サンプルを用いて、複数のパネルによる官能テスト（官能評価）を行う。官能テストは、スキンケア商品の使用前、および一定期間使用後に行う。なお、パネルはスキンケア商品のターゲットとなる性別および年代層の中から選定する。パネル数は、１０名程度以上、より好ましくは２０名程度以上であり、より多い方が好ましい。
【００２７】
具体的には、図２に示すように、なめらか感軸１０のサンプルとして、「なめらか」、「ややなめらか」、「ややでこぼこ」、「でこぼこ」、からなる４段階の触感のサンプル１１〜１４を用意する。サンプル１１〜１４の触感は、図面左側ほどなめらかすべすべであり、なめらか感が高く、右側ほどがさがさでこぼこであり、なめらか感が低いものとなっている。
【００２８】
官能テストは、スキンケア商品の使用前、および一定期間使用後に、同一条件下でパネル自身が、自分の頬８とサンプル１１〜１４を指で触り比べて自分の肌感触に最も近いと感じる肌模型サンプルを選択する方法で行う。当該スキンケア商品を使用する一定期間は、２週間、３週間、１ヶ月など効果が生じる期間を適宜定めればよい。
【００２９】
図３はこの官能テストにより選定された使用前人工肌模型２と使用後人工肌模型３とを組合せてなるスキンケア効果モデル１を示す図である。
【００３０】
スキンケア商品の使用前テストにおいて、一番多くのパネルに選択されたサンプルを使用前人工肌模型とする。例えば、使用前テストにおいて、上記サンプル１１〜１４のうち、「ややでこぼこ」のサンプル１３を選択したパネル数が最も多かった場合、「ややでこぼこ」のサンプル１３を使用前人工肌模型２とする。また、スキンケア商品の使用後テストにおいて、使用前テストと比較して選択したパネル数の増加率が最も大きかったサンプルを使用後人工肌模型とする。例えば、使用後テストおいて、上記サンプル１１〜１４のうち、「なめらか」のサンプル１１を選択したパネル数の使用前テストからの増加率が最も大きければ、「なめらか」のサンプル１１を使用後人工肌模型３とする。
以上のようにして、なめらか感の異なる２つの人工肌模型サンプル１３、１１を、それぞれ使用前人工肌模型２、使用後人工肌模型３として選定し、スキンケア効果モデル１を作製することができる。
【００３１】
なお、しっとり感軸、なめらか感軸、はり感軸などの段階的に変化する触感のサンプルは、既存の人工肌模型サンプルから適宜選択して用いることができる。例えば、しっとり感については、ビューラックス社製肌模型Ｎｏ．１０の表面バリエーション、硬さレベルを固定し、コーティング仕様により、ウェットタイプ、標準タイプ、ドライタイプの３段階の表面仕上げをそれぞれ施した３段階の触感の肌模型サンプルをそれぞれ、上記例の「もっとしっとり」、「しっとり」、「乾いた」に相当するものとして、しっとり感軸のテストに用いることができる。また、なめらか感については、ビューラックス社製肌模型Ｎｏ．７４Ａ〜Ｄ（Ａ〜Ｄは、４段階に異なるなめらか感を呈するものである。）、コーティング標準タイプの４段階の触感の肌模型サンプルをそれぞれ、上記例の「なめらか」、「ややなめらか」、「ややでこぼこ」、「でこぼこ」に相当するものとして、なめらか感軸のテストに用いることができる。同様に、はり感については、やわらかい、普通、硬いの３段階の弾力のビューラックス社製の肌模型の肌弾力チェックツールをはり感軸のテストに用いることができる。
【００３２】
なめらか感、しっとり感、はり感、ふっくら感、やわらか感、きしみ、ざらざら感、さっぱりさ、サラサラ感、べたつき、油っぽさ、みずみずしさ、温熱感、ぬめり、ねばりなどのいずれの触感軸についての人工肌模型サンプルも、実際の人の肌感触を模した感触を有するものを用いる。これらの人工肌模型サンプルとしては、摩擦感テスターＫＥＳ−ＳＥ−Ｍ（カトーテック株式会社製、摩擦子として指紋タイプセンターを用いた）を用いた測定したＭＩＵ（摩擦係数）が１．１〜６．２かつＭＭＤ（摩擦偏差）が０．１８〜１．０８の数値範囲である模型を用いることが好ましい。
【００３３】
なお、なめらか感軸のための肌模型サンプルは、例えば、実際の人の肌表面を転写して作製されたものであることが望ましい。具体的には、予め、官能テストにより、なめらか、ややなめらか、ややでこぼこ、でこぼこなどの触感の人を抽出し、それぞれの頬部肌表面を転写することにより、なめらか、ややなめらか、ややでこぼこ、でこぼこの段階的な触感の人工肌模型を得ることができる。なお、人肌の転写による人工肌模型の作製方法は、例えば特開平１１−１６９３９０等公知の方法を採用することができる。
【００３４】
その他、しっとり感、はり感、ふっくら感、やわらか感、きしみ、ざらざら感、さっぱりさ、サラサラ感、べたつき、油っぽさ、みずみずしさ、温熱感、ぬめり、ねばりについて、段階的な触感の人工肌模型サンプルについては、複数の人工肌模型サンプルから、スキンケア商品の開発部員および／または美容部員などからなる複数名の判定者による官能テストにより定めるものとしてもよい。
【００３５】
例えば、所定の軸として、「やわらか感」を定める。そして、この「やわらか感」について複数名の判定者による官能テストを行う。それぞれの判定者が、複数の人工肌模型サンプルを自分の手指で触って、やわらかい、やややわらかい、普通、やや硬い、硬い、５段階の判定を行う。複数の判定者の判定結果が一致するサンプルから、やわらかい、やややわらかい、普通、やや硬い、硬い、各段階のサンプルを１つずつ判定者の多数決により抽出する。このようにして抽出された、やわらかい、やややわらかい、普通、やや硬い、硬い、の５つの人工肌模型サンプルを、やわらか感軸の段階的に変化する触感のサンプルとする。その他、各軸について同様の方法で段階的に変化する触感のサンプルを定めることができる。
【００３６】
また、スキンケア効果モデル１として、使用前人工肌模型２の感触と使用後人工肌模型３の感触とが、なめらか感、しっとり感、はり感、潤い感などの触感群のうちの２つの触感が異なるものである場合には、使用前人工肌模型２と使用後人工肌模型３の組合せは次のようにして作製することができる。すなわち、なめらか感、しっとり感、はり感、潤い感などの触感群のうちのいずれか１つの触感が段階的に異なる複数のサンプルから、官能テストの結果により、スキンケア商品の使用前の肌感触に最も近いと評価されたサンプルを使用前人工肌模型の第１軸サンプルとし、使用後の肌感触に最も近いと評価されたサンプルを使用後人工肌模型の第１軸サンプルとし、他の１つの触感が段階的に異なる複数のサンプルから、官能テストの結果により、スキンケア商品の使用前の肌感触に最も近いと評価されたサンプルを使用前人工肌模型の第２軸のサンプルとし、使用後の肌感触に最も近いと評価されたサンプルを使用後人工肌模型の第２軸のサンプルとし、使用前人工肌模型の第１軸サンプルおよび第２軸サンプルの触感を兼ね備えたサンプルを使用前人工肌模型とし、使用後人工肌模型の第１軸のサンプルおよび第２軸のサンプルの触感を兼ね備えたサンプルを使用後人工肌模型とすればよい。
【００３７】
使用前人工肌模型の感触と、使用後人工肌模型の感触とが、２つ以上の触感が異なるものであれば、スキンケア商品により得られる複数の効果を同時に示すことができる。
【００３８】
なめらか感、しっとり感の２つの触感が互いに異なる、使用前人工肌模型２と使用後人工肌模型３の組合せの具体的な選定方法の一例を説明する。
【００３９】
なめらか感が段階的に異なる複数のサンプルと、しっとり感が段階的に異なる複数のサンプルとをそれぞれ用意し、複数のパネルによる官能テストを行う。
【００４０】
図４（ａ）に示すように、なめらか感軸（第１軸）１０のサンプルとして、「なめらか」、「ややなめらか」、「ややでこぼこ」、「でこぼこ」、からなる４段階の触感のサンプル１１〜１４を用意する。サンプル１１〜１４の触感は、図面左側ほどなめらかすべすべであり、なめらか感が高く、右側ほどがさがさでこぼこであり、なめらか感が低いものとなっている。また、図４（ｂ）に示すように、しっとり感軸（第２軸）２０のサンプルとして、「もっとしっとり」、「しっとり」、「乾いた」、からなる３段階の触感のサンプル２１〜２３を用意する。サンプル２１〜２３の触感は、図面左側ほどしっとりうるおい、しっとり感が高く、右側ほどがかさかさ乾き、しっとり感が低いものとなっている。
【００４１】
官能テストは、スキンケア商品の使用前、および一定期間使用後に、同一条件下でパネル自身が、自分の頬８と第１軸のなめらか感軸のサンプル１１〜１４を指で触り比べて自分の肌感触に最も近いと感じる肌模型サンプルを選択し、同様にして第２軸のしっとり感軸のサンプル２１から２３から自分の肌感触に最も近いと感じる肌模型サンプルを選択する方法で行う。
【００４２】
図５はこの官能テストにより選定された使用前人工肌模型２と使用後人工肌模型３とを組合せてなるスキンケア効果モデル１を示す図である。
【００４３】
スキンケア商品の使用前テストにおいて、なめらか感軸について、一番多くのパネルに選択されたサンプルを使用前人工肌模型の第１軸サンプルとする。例えば、なめらか感軸のサンプル１１〜１４のうち、「ややでこぼこ」のサンプル１３を選択したパネル数が最も多ければ、「ややでこぼこ」のサンプル１３を使用前人工肌模型の第１軸サンプルとする。また、スキンケア商品の使用後テストにおいて、使用前テストと比較して選択したパネル数の増加が最も大きかったサンプルを使用後人工肌模型の第１軸サンプルとする。たとえば、なめらか感軸の１１〜１４のうち、「なめらか」のサンプル１１を選択したパネル数の使用前からの増加率が最も大きければ、「なめらか」のサンプル１１を使用後人工肌模型の第１軸サンプルとする。
【００４４】
スキンケア商品の使用前テストにおいて、しっとり感軸について、一番多くのパネルに選択されたサンプルを使用前人工肌模型の第２軸サンプルとする。例えば、使用前テストにおいて、しっとり感軸のサンプル２１〜２３のうち、「しっとり」のサンプル２２を選択したパネル数が最も多ければ、「しっとり」のサンプル２２を使用前人工肌模型の第２軸サンプルとする。また、スキンケア商品の使用後テストにおいて、使用前テストと比較して選択したパネル数の増加が最も大きかったサンプルを使用後人工肌模型の第２軸サンプルとする。たとえば、使用後テストにおいて、しっとり感軸のサンプル２１〜２３のうち、「もっとしっとり」のサンプル２１を選択したパネル数の使用前からの増加率が最も大きければ、「もっとしっとり」のサンプル２１を使用後人工肌模型の第２軸サンプルとする。
【００４５】
そして、使用前人工肌模型の第１軸サンプルおよび第２軸サンプルの触感を兼ね備えたサンプル、すなわち、なめらか感は「ややでこぼこ」、しっとり感は「しっとり」の触感を兼ね備えたサンプル３２を使用前人工肌模型２とし、使用後人工肌模型の第１軸のサンプルおよび第２軸のサンプルの触感を兼ね備えたサンプル、すなわち、なめらか感は「なめらか」、しっとり感は「もっとしっとり」の触感を兼ね備えたサンプル３３を使用後人工肌模型３とする。
【００４６】
この「ややでこぼこ」のなめらか感、「しっとり」のしっとり感を兼ね備えた人工肌模型サンプルは、評価テストで用いた「ややでこぼこ」のサンプル１３に、「しっとり」のサンプル２２の表面コーティングを施すことにより得ることができる。同様にして、「なめらか」のなめらか感、「もっとしっとり」のしっとり感を兼ね備えた人工肌模型サンプルは、「なめらか」のサンプル１１に、「もっとしっとり」のサンプル２１の表面コーティングを施すことにより得ることができる。
【００４７】
以上のようにして、なめらか感およびしっとり感の異なる２つの人工肌模型サンプル３２、３３を作製して、それぞれ使用前人工肌模型２、使用後人工肌模型３として、スキンケア効果モデル１を作製することができる。
【００４８】
なお、上記例においては、なめらか感としっとり感との２つ触感が異なる例を挙げたが、他の組合せ、例えば、なめらか感とはり感、しっとり感とはり感であってもよいし、３軸以上の触感の組合せであってもよい。例えば、なめらか感としっとり感に加えてはり感の３軸の触感について、それぞれスキンケア商品使用前後の官能テストを行い、３軸の触感が異なる使用前人工肌模型と使用後人工肌模型との組合せからなるスキンケア効果モデルとしてもよい。
【００４９】
また、さらには、３軸以上の触感について、それぞれスキンケア商品使用前後の官能テストを行った上で、使用前後で触感が大きく変化したと評価された１軸もしくは２軸についてのみを抽出しその評価した軸より少ない軸の触感のみが異なる使用前人工肌模型、使用後人工肌模型との組合せからなるスキンケア効果モデルとしてもよい。
【００５０】
既存の人工肌模型としては、なめらか感、しっとり感、はり感、潤い感などが複合的に異なる多数のサンプルが存在し、そのような多数のサンプルから、現在の自分の肌感触と同じものを選択するのは、非常に困難である。また、なめらか、しっとり、はり、サラサラ、すべすべなどの感覚には個人差があり、同一の感触の模型に対しても、しっとりはり感を感じる人、ふっくらすべすべ感を感じる人など様々である。
【００５１】
上述のテスト方法のように、予め定められた、なめらか感軸、しっとり感軸など、１軸上で段階的に示された触感を選択する方法であれば、個人差による評価のばらつきを抑制することが可能となる。ばらつきの少ない評価により、より客観的な評価結果を得ることが可能となる。１軸毎で触感を選択した後に、２軸、もしくは３軸以上の触感の異なる肌感触の使用前後の人工肌模型を作製することにより、スキンケア商品の総合的な効果をより客観的に示すことができる。
【００５２】
なお、スキンケア効果モデル１は、図６に示すように、スキンケア商品の写真６、商品説明書等の表示部７と、スキンケア効果モデル１を保持する保持部とを備えた、箱状のパッケージ５を別途用意し、該パッケージの保持部にスキンケア効果モデル１を設置して、顧客等へのプレゼンテーション時に利用できるようにしてもよい。また、スキンケア商品とスキンケア効果モデル１とをセットとして提示するようにしてもよい。
このように、スキンケア商品を、その効果を示すスキンケア効果モデル１と併せて顧客に提示することにより、スキンケア商品の効果を顧客により体感してもらうことができ、顧客へのスキンケア商品の提案をより効果的に行うことができる。
【実施例１】
【００５３】
以下、実施例により本発明のスキンケア効果モデルの作製方法をさらに詳細に説明する。
本実施例では、図４および図５を参照して説明した上記実施形態の方法に沿って、使用前人工肌模型２の感触と使用後人工肌模型３の感触とが、なめらか感、しっとり感の２つの触感で異なるものであるスキンケア効果モデル１を作製した。
【００５４】
まず、所定のスキンケア商品のターゲットとなる３０−４０代の女性パネルを２８名選定し、第１軸の触感はなめらか感、第２軸の触感はしっとり感として、スキンケア商品の使用前、および使用後に官能テストを行った。ここで、所定のスキンケア商品は開発化粧品Ａ（以下、スキンケア商品Ａという。）とした。
【００５５】
図４で示したように、なめらか感が段階的に異なる４つの肌模型サンプル１１〜１４を用意し、しっとり感が段階的に異なる３つの肌模型サンプル２１〜２３を用意した。
【００５６】
なめらか感は、「なめらか」、「ややなめらか」、「ややでこぼこ」、「でこぼこ」、の４つの肌模型サンプル１１〜１４として、株式会社ビューラックス社製の肌模型：Ｎｏ．７４Ａ〜Ｄを使用した。サンプルの仕様は、丸板形状：直径４４ｍｍ、厚さ５ｍｍ）、表面コーティング：ノーマル仕上げ、コーティング膜厚３０μｍ、基材：熱可塑性ウレタンエラストマーである。
【００５７】
しっとり感は、「もっとしっとり」、「しっとり」、「乾いた」、の３つの肌模型サンプル２１〜２３として、株式会社ビューラックス社製の肌模型：Ｎｏ．１０Ｂ（表面バリエーション３０代）、丸型形状：直径５１ｍｍ、厚さ５ｍｍ）について、コーティング仕様がそれぞれ、ウェットタイプ、標準タイプ、ドライタイプであるものを使用した。
【００５８】
官能テストは、指定の洗顔料（洗顔石鹸）にて洗顔後、室温２３℃、湿度５０％にて６０分経過後、パネル自身が右手で自分の右頬（図２参照）と、なめらか感が段階的に異なるサンプル１１〜１４を触り比べ、最も近いと思うサンプルを選択してもらい、同様に、しっとり感が段階的に異なるサンプル２１〜２３を触り比べ、最も近いと思うサンプルを選択してもらう方法を採った。
【００５９】
各パネルは、スキンケア商品Ａの使用前に、上記官能テスト方法により、第１軸サンプル、第２軸サンプルを選択した。
各パネルは、２週間スキンケア商品Ａを用いてスキンケアを行った後、上記官能テスト方法により、第１軸サンプル、第２軸サンプルを選択した。
【００６０】
図７は、第１軸のなめらか感についての、使用前および２週間使用後の官能テスト結果を示すグラフである。
図７のグラフに示すように、なめらか感については、使用前は「ややでこぼこ」と評価した人が５４％と最も多かったため、この「ややでこぼこ」のサンプルを使用前肌感触の第１軸サンプルとした。これに対して、使用後はなめらか（３２％）、ややなめらか（２９％）のサンプルを選択する人が多く、なめらか感の向上を感じた人が多かったといえる。特に、使用後に「なめらか」と評価した人の割合は使用前と比較して７％から３２％へと大幅に増加し、使用前後の増加率が最も大きかったことから、この「なめらか」のサンプルを使用後肌感触の第１軸サンプルとした。
【００６１】
図８は第２軸のしっとり感についての、使用前および２週間使用後の官能テスト結果を示すグラフである。
図８のグラフに示すように、使用前は「しっとり」と評価した人が７０％と最も多かったため、この「しっとり」のサンプルを使用前肌感触の第２軸サンプルとした。これに対して、使用後は「もっとしっとり」のサンプルを選択した人が使用前の１４％から５０％へと増加し、使用前後の増加率が最も大きかったことから、この「もっとしっとり」のサンプルを使用後肌感触の第２軸サンプルとした。
【００６２】
従って、使用前肌感触は、第１軸のなめらか感では、ややでこぼこ、第２軸のしっとり感では、しっとりであることから、両者の触感を有する肌模型を使用前人工肌模型２とし、使用後肌感触は、第１軸のなめらか感では、なめらか、第２軸のしっとり感では、もっとしっとりであることから、両者の触感を有する肌模型を使用後人工肌模型３とした。
【００６３】
より具体的には、ビューラックス社製肌模型Ｎｏ.７４Ｃにノーマル仕上げコーティングを施したサンプルを使用前人工肌模型２とし、ビューラックス社製肌模型Ｎｏ.７４Ａにウェット仕上げコーティングを施したサンプルを使用後人工肌模型３とした。
【符号の説明】
【００６４】
１    スキンケア効果モデル
２    使用前人工肌模型
３    使用後人工肌模型
４    台紙
５    パッケージ
１０    なめらか感軸
１１    「なめらか」の人工肌模型サンプル
１２    「ややなめらか」の人工肌模型サンプル
１３    「ややでこぼこ」の人工肌模型サンプル
１４    「でこぼこ」の人工肌模型サンプル
２０    しっとり感軸
２１    「もっとしっとり」の人工肌模型サンプル
２２    「しっとり」の人工肌模型サンプル
２３    「乾いた」の人工肌模型サンプル
３２    「ややでこぼこ」かつ「しっとり」の人工肌模型サンプル
３３    「なめらか」かつ「もっとしっとり」の人工肌模型サンプル
【図１】
2011053609.tif 000003
【図２】
2011053609.tif 000004
【図３】
2011053609.tif 000005
【図４】
2011053609.tif 000006
【図５】
2011053609.tif 000007
【図６】
2011053609.tif 000008
【図７】
2011053609.tif 000009
【図８】
2011053609.tif 000010